【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
−乗客を運送方向に移動させるコンベヤと、
−第１手摺とを含み、第１手摺は、環状に形成され乗客が手で掴んで支えるための上部第１握り部を有して第１握り部が運送方向に対して下流に位置する下流端を有する動く第１手摺ベルト、該手摺ベルトを支持して案内する第１手摺フレーム、および第１側面を含み、さらに
−運送方向に見て第１手摺の下流に、前記コンベヤに沿って第１手摺と同じ側に設けられ、第１手摺に並行して伸びる第２手摺を含み、第２手摺は、環状に形成され乗客が手で掴んで支えるための上部第２握り部を有して第２握り部が運送方向に対して上流に位置する上流端を有する第２循環手摺ベルト、該手摺ベルトを支持して案内する第２手摺フレーム、および第１手摺フレームの第１側面に面している第２側面を含む、人を運送する動く歩道、動くスロープ、またはエスカレータにおいて、
第１手摺および第２手摺は、第１握り部の前記下流端が第２握り部の前記上流端と実質的に並行して設けられるよう相互の重複部をもって設置され、第１握り部と第２握り部との間に間隙が残り、第１手摺および／または第２手摺は、乗客の指が前記間隙に入り込むのを防止する案内部材を含むことを特徴とする動く歩道、動くスロープ、またはエスカレータ。
【請求項２】
請求項１に記載の動く歩道、動くスロープ、またはエスカレータにおいて、第１手摺は、前記コンベヤに対して第２手摺よりも内側に位置し、前記案内部材は、第１手摺フレームの第１側面に取り付けられることを特徴とする動く歩道、動くスロープ、またはエスカレータ。
【請求項３】
請求項１または２に記載の動く歩道、動くスロープ、またはエスカレータにおいて、前記案内部材は案内端を含み、該案内端は、第１手摺ベルトの真下に伸びて、第１握り部の近傍で該握り部に並行し、指が第１手摺ベルトの下に入り込むのを防止することを特徴とする動く歩道、動くスロープ、またはエスカレータ。
【請求項４】
請求項３に記載の動く歩道、動くスロープ、またはエスカレータにおいて、前記案内端は突起や波形状などの警告部材を有し、第１手摺ベルトを掴む手の指が該警告部材に触れることで、乗客が切替り点に近づいていることに気付くことができ、該切替り点で手を第１手摺ベルトから第２手摺ベルトに移動しなければならないことを特徴とする動く歩道、動くスロープ、またはエスカレータ。
【請求項５】
請求項１ないし４のいずれかに記載の動く歩道、動くスロープ、またはエスカレータにおいて、第２手摺ベルトは、下部戻り部およびアーチ状転換部を含み、該転換部で第２手摺ベルトが実質的に180度の大きな径をもって前記戻り部から第２握り部に転換し、前記案内部材は、横方向および垂直方向において、第２手摺ベルトの転換部の少なくとも一部分にわたって、その曲形状に沿って伸びるカバーストリップを含み、乗客の手が第１手摺フレームと第２手摺ベルトの転換部との間の前記間隙に入り込むのを防止することを特徴とする動く歩道、動くスロープ、またはエスカレータ。
【請求項６】
請求項１ないし５のいずれかに記載の動く歩道、動くスロープ、またはエスカレータにおいて、前記案内部材は、前記間隙内を長手方向に垂直に伸びる挿入部材を含み、該挿入部材は、前記手摺ベルトの上面の高さ近くで該間隙の長さ方向および幅方向を部分的に埋めて、指が前記間隙に入り込むのを防止することを特徴とする動く歩道、動くスロープ、またはエスカレータ。
【請求項７】
請求項６に記載の動く歩道、動くスロープ、またはエスカレータにおいて、前記案内部材は固体材料で形成された一つの部材であり、そこに、前記案内端、警告部材、カバーストリップ、および挿入部材が一体化されていることを特徴とする動く歩道、動くスロープ、またはエスカレータ。
【請求項８】
請求項１ないし７のいずれかに記載の動く歩道、動くスロープ、またはエスカレータにおいて、第１手摺ベルトおよび第２手摺ベルトの運転速度は実質的に同じであることを特徴とする動く歩道、動くスロープ、またはエスカレータ。
【請求項９】
請求項１ないし７のいずれかに記載の動く歩道、動くスロープ、またはエスカレータにおいて、第１手摺ベルトおよび第２手摺ベルトの運転速度は異なることを特徴とする動く歩道、動くスロープ、またはエスカレータ。
【請求項１０】
請求項１ないし７のいずれかに記載の動く歩道、動くスロープ、またはエスカレータにおいて、該動く歩道、動くスロープ、またはエスカレータはいわゆる高速の動く歩道、動くスロープ、またはエスカレータであり、乗客輸送速度を実質的に低速の初期速度から高輸送速度へと加速する加速部と、乗客を一定の輸送速度で運送する定速部と、乗客輸送速度を該一定輸送速度から減速最終速度へと減速する減速部とを含むことを特徴とする動く歩道、動くスロープ、またはエスカレータ。
【請求項１１】
請求項10に記載の動く歩道、動くスロープ、またはエスカレータにおいて、第１手摺は加速部に、第２手摺は前記加速部または定速部に設けられ、このとき、第２手摺ベルトの運転速度は第１手摺ベルトの運転速度よりも速いことを特徴とする動く歩道、動くスロープ、またはエスカレータ。
【請求項１２】
請求項10に記載の動く歩道、動くスロープ、またはエスカレータにおいて、第１手摺および第２手摺は前記定速部に設けられ、第１手摺ベルトと第２手摺ベルトの運転速度は実質的に同じであることを特徴とする動く歩道、動くスロープ、またはエスカレータ。
【請求項１３】
請求項10に記載の動く歩道、動くスロープ、またはエスカレータにおいて、第１手摺は前記定速部または減速部に、第２手摺は該減速部に設けられ、このとき、第２手摺ベルトの運転速度は第１手摺ベルトの運転速度よりも遅いことを特徴とする動く歩道、動くスロープ、またはエスカレータ。
【請求項１４】
請求項１ないし13のいずれかに記載の動く歩道、動くスロープ、またはエスカレータにおいて、該動く歩道、動くスロープ、またはエスカレータは、床やその他の支持体などの固定基部に設置するように設計された低構造体であることを特徴とする動く歩道、動くスロープ、またはエスカレータ。
【手続補正２】
【補正対象書類名】明細書
【補正対象項目名】００３８
【補正方法】変更
【補正の内容】
【００３８】
図４、図７、図８から明白なとおり、案内部材15は、第１握り部４近傍で握り部に並行して第１手摺ベルト３真下に伸びる案内端16を含み、それによって指が第１手摺ベルト３の下に入り込むのを防止している（図７を参照）。案内端16には警告部材17が設けられる。この警告部材17は、本例では波形などの形状であり、乗客は第１手摺ベルト３を掴んでいる手の指がそこに触れることで、切替り点に近づいていることに気付く。この切替り点で第１手摺ベルト３から第２手摺ベルト９へ手を移動させなければならない。図７は、第１手摺ベルト３を掴んでいる手が、警告部材17に接触する様子を示す。
【手続補正３】
【補正対象書類名】明細書
【補正対象項目名】００４０
【補正方法】変更
【補正の内容】
【００４０】
案内部材15はまた、カバーストリップ20を含む。カバーストリップは、横方向および垂直方向に、第２手摺ベルト３の転換部19の少なくとも一部分にわたって、その曲形状に沿って伸び、乗客の手が第１手摺フレーム６と第２手摺ベルト９の転換部19との間の間隙に巻き込まれるのを防止する。